(57)【要約】【課題】書類のパイプファイル等に対する綴じ込み・取り外しを容易にして、ファイリングに要する時間を短縮することを可能にする。【解決手段】透明かつ可撓性を有する合成樹脂製の長方形の表シート１ａと裏シート１ｂとが背部１ｃ及び下辺部１ｄにおいて閉塞され少なくとも前記背部と反対側の辺が開口部１ｅとされているクリアフォルダ１において、前記背部１ｃ又は開口部１ｅのいずれか一方に、綴じ穴２ａとこの綴じ穴２ａからそれぞれ背部側又は開口部側の端縁に達するスリット２ｂとからなる２つ又は４つのスリット付き綴じ穴２を形成している。書類を収容したクリアフォルダ１を例えばパイプファイルに対して綴じ込みあるいは取り外す場合、クリアフォルダ１を単に「押し込む」あるいは「引っ張る」といういずれも簡単な１つの操作だけで綴じ込みあるいは取り外しが完了する。【選択図】図１
2011218593.tif 000002
【特許請求の範囲】
【請求項１】
透明かつ可撓性を有する合成樹脂製の長方形の表シートと裏シートとが背部及び下辺部において閉塞され少なくとも前記背部と反対側の辺が開口部とされているクリアフォルダにおいて、
前記背部側又は開口部側のいずれか一方に、綴じ穴とこの綴じ穴からそれぞれ背部側又は開口部側の端縁に達するスリットとからなる２つ又は４つのスリット付き綴じ穴を形成したことを特徴とするクリアフォルダ。
【請求項２】
前記表シート又は裏シートにおける前記スリット付き綴じ穴が設けられた辺の側に、可撓性を有し前記スリット付き綴じ穴と一致するスリット付き綴じ穴を有する合成樹脂製の補強用シートを貼り合わせたことを特徴とする請求項１記載のクリアフォルダ。
【請求項３】
複数枚を綴じ合わせた書類の綴じ部に貼り付けられる書類ファイリング用シートであって、
綴じ穴とこの綴じ穴からシート端縁に達するスリットとからなる２つ又は４つのスリット付き綴じ穴を有することを特徴とする書類ファイリング用シート。
【請求項４】
請求項１又は２のクリアフォルダ、若しくは請求項３の書類ファイリング用シートを貼り合わせた書類を収容するファイルボックスであって、
底部と左右の側壁と背壁とを有し、前記２つ又は４つのスリット付き綴じ穴に対応する綴じ穴挿通軸が左右の壁部間に渡されたことを特徴とするファイルボックス。
【請求項５】
左右の側壁間に、綴じ穴挿通軸に沿ってスライド可能な仕切りを設けたことを特徴とする請求項４記載のファイルボックス。
【請求項６】
請求項１又は２のクリアフォルダに、若しくは請求項３の書類ファイリング用シートに、若しくは請求項３における書類自体に、スリット付き綴じ穴を形成するパンチであって、
台部と、この台部側に設けた水平な軸に一端側が係合しかつバネにより上方に付勢された状態で上下に回動可能に設けられた取っ手と、この取っ手を上下に回動させた時に取っ手の上下回動に連動して上下動する可動刃を備え、この可動刃は、綴じ穴をあける円柱刃とスリットを形成する直線刃とを一体に備え、前記台部に、前記可動刃の円柱刃及び直線刃に対応する下刃穴を備えたことを特徴とするパンチ。
【請求項７】
請求項１又は２のクリアフォルダ、若しくは請求項３の書類ファイリング用シート、若しくは請求項３における書類自体に既に綴じ穴があけられている場合に、それら対象物の綴じ穴につながるスリットを形成してスリット付き綴じ穴とするためにパンチであって、
台部と、この台部側に設けた水平な軸に一端側が係合しかつバネにより上方に付勢された状態で上下に回動可能に設けられた取っ手と、この取っ手を上下に回動させた時に取っ手の上下回動に連動して上下動する可動刃を備え、この可動刃はスリットを形成する直線刃を備えており、前記台部に、前記可動刃の直線刃に対応するスリット状の下刃穴を備えるとともに、対象物の正しい位置にスリットを形成するための対象物位置決め手段として、台部の上面の下刃穴に隣接する位置に、対象物の綴じ穴が嵌る突起を形成したことを特徴とするパンチ。
【発明の詳細な説明】
【技術分野】
【０００１】
この発明は、書類のパイプファイル等に対する綴じ込み・取り外しを容易にして、ファイリングに要する時間を短縮することを可能にするクリアフォルダ、書類ファイリング用シート、ファイルボックス、及びこれらの使用に供されるパンチに関する。
【背景技術】
【０００２】
あまり枚数の多くない書類を収納保管するのに適したファイリング用品として、クリアフォルダが広く使用されている。
この種のクリアフォルダは一般に、図１９に示したクリアフォルダ１００のように、透明かつ可撓性を有する合成樹脂製の長方形の樹脂シートを２つに折り返して、重ね合わされた表シート１００ａと裏表紙１００ｂとが形成されるようにし、その折り返し部を背部１００ｃとし、下辺部１００ｄを溶着により閉塞した構成であり、少なくとも背部１００ｃと反対側の辺が開口部１００ｅとなっている。上辺１００ｆは一般には図示のように開口部とされているが、上辺の全体又は一部を溶着により閉塞したものもある。
【０００３】
この種のクリアフォルダ１００は、あまり枚数の多くない書類を保管する場合に、それらを散逸することなく取り扱い容易に保管することができ、かつ可搬性が高いので、単体で取り扱う際に利便性を発揮する。このため、単体で使用される場合が多いが、書類を収容したクリアフォルダの数が多くなると、書類が分散しがちになり管理が煩雑化する。
そこで、複数のクリアフォルダをファイリング用品に収容することが考えられる。その場合、図１９に示した一般的なクリアフォルダ１では、いわゆるリングファイルやパイプファイルに綴じ込んで保管するはできない。なお、リングファイルとは、書類等に設けた複数の綴じ穴に通される開閉可能なリングで書類を綴じレバーを押してリングを開くリング綴じ金具を持つ構成のものを指す（特許文献１参照）。また、パイプファイルの構成については後述する（段落番号[００２６]、[００２７]）。
【０００４】
リングファイルに綴じ込んで保管することが可能なクリアフォルダとして、長方形のクリアフォルダの側辺部に綴じ穴（パンチ穴）をあけたものがある（特許文献１の図１、図４）。
また、同じくリングファイルに綴じ込んで保管することが可能なクリアフォルダとして、特許文献１のクリアフォルダのように長方形のクリアフォルダの側辺側に直接綴じ穴をあけるのでなく、綴じ穴をあけた突出片を側辺部の外側に設けたものもある（特許文献２）。
また、パイプファイルに綴じ込むための穴を設けた２穴又は４穴のクリアホルダーも存在する。
【０００５】
上記特許文献１、２はいずれも、クリアフォルダに単に円形の綴じ穴を設けるものであるが、特許文献３のように、綴じ穴にＬ形に連通する広い開口（切り込み３）を形成したクリアフォルダもある。
このクリアフォルダは、リングファイルやパイプファイル等に綴じ込む場合でなく、押さえ具を持つファイルホルダ（いわゆるフラットフォルダ）に綴じ込むもの（特許文献３の図３参照）で、押さえ具を取り外すことなく単に緩めるだけで、クリアフォルダの綴じ込み、取り外しを行うことができるというものである。
【先行技術文献】
【特許文献】
【０００６】
【特許文献１】特開２００２−１３７５８６
【特許文献２】特開２００８−１３２６４５
【特許文献３】実用新案登録第３１４６１２０号
【発明の概要】
【発明が解決しようとする課題】
【０００７】
特許文献１あるいは特許文献２のクリアフォルダは、綴じ穴を設けているので、リングファイルに綴じ込むことができ、書類をそれぞれ収容した複数のクリアフォルダを纏めて保管する場合に対応できる。
しかし、綴じ穴が単なる円形の綴じ穴であるから、クリアフォルダを綴じ込み、取り外す操作は煩雑である。すなわち、（１）リング綴じ具のレバーを押してリングを開き、（２）クリアフォルダに設けた綴じ穴をリングに通し、（３）リングを閉ざすという３段階の操作が必要であり、煩雑である。
また、この種のクリアフォルダをパイプファイルで保管するとしても、パイプファイルに対して綴じ込み・取り外し際の煩雑さは同様である。すなわち、書類を綴じ込む場合は、（１）綴じ金具のロックを外して、綴じ穴挿通軸であるパイプに挿入されている心棒を一体に持つ押さえ板を外す、（２）書類をパイプ（綴じ穴挿通軸）に通す、（３）押さえ板の心棒をパイプに差し込み、押さえ板をロックする、という３段階の操作が必要となり、綴じ込み・取り外しが煩雑である。
このため、単体で取り扱う際に利便性を発揮するというクリアフォルダの長所が失われ、上辺のみ開口した透明樹脂フィルム製の書類収容袋の複数枚をその側辺部で綴じた書類ホルダー（仮に透明袋式フォルダと呼ぶ）の一種として使われてしまっていることのが現状である。この透明袋式フォルダは複数の書類を分散させずに管理できる点で優れているが、単体での取り扱い性に欠ける。
【０００８】
また、綴じ穴にＬ形に連通する広い開口（切り込み３）を形成した特許文献３のクリアフォルダは、これを押さえ具で押さえ付けるフラットフォルダに綴じ込む場合には問題ないとしても、押さえ具を持たないリングファイルや、押さえ板が、綴じ込んだ書類を挟持するのではなく単に外れ防止機能を持つに過ぎないパイプファイル等に使用すると、容易に外れてしまい、採用できない。
【０００９】
本発明は上記背景のもとになされたもので、書類のパイプファイル等に対する綴じ込み・取り外しを容易にして、ファイリングに要する時間を短縮することを可能にするクリアフォルダを提供することを目的とし、また、ステープラ（いわゆるホッチキス）等で綴じた書類のファイリングに要する時間を短縮することを可能にする書類ファイリング用シートを提供することを目的とし、また、それらのクリアフォルダや書類を容易に収納、取り出し可能にするファイルボックスを提供することを目的とし、さらに、それらの使用に供されるパンチを提供することを目的とする。
【課題を解決するための手段】
【００１０】
上記課題を解決する請求項１の発明は、透明かつ可撓性を有する合成樹脂製の長方形の表シートと裏シートとが背部及び下辺部において閉塞され少なくとも前記背部と反対側の辺が開口部とされているクリアフォルダにおいて、
前記背部側又は開口部側のいずれか一方に、綴じ穴とこの綴じ穴からそれぞれ背部側又は開口部側の端縁に達するスリットとからなる２つ又は４つのスリット付き綴じ穴を形成したことを特徴とする。
【００１１】
請求項２は、請求項１のクリアフォルダにおいて、表シート又は裏シートにおけるスリット付き綴じ穴が設けられた辺の側に、可撓性を有し前記スリット付き綴じ穴と一致するスリット付き綴じ穴を有する合成樹脂製の補強用シートを貼り合わせたことを特徴とする。
【００１２】
請求項３の発明は、複数枚を綴じ合わせた書類の綴じ部に貼り付けられる書類ファイリング用シートであって、
綴じ穴とこの綴じ穴からシート端縁に達するスリットとからなる２つ又は４つのスリット付き綴じ穴を有することを特徴とする書類ファイリング用シート。
【００１３】
請求項４の発明は、請求項１又は２のクリアフォルダ、若しくは請求項３の書類ファイリング用シートを貼り合わせた書類を収容するファイルボックスであって、
底部と左右の側壁と背壁とを有し、前記２つ又は４つのスリット付き綴じ穴に対応する綴じ穴挿通軸が左右の壁部間に渡されたことを特徴とする。
【００１４】
請求項５は、請求項４のファイルボックスにおいて、左右の側壁間に、綴じ穴挿通軸に沿ってスライド可能な仕切りを設けたことを特徴とする。
【００１５】
請求項６の発明は、請求項１又は２のクリアフォルダに、若しくは請求項３の書類ファイリング用シートに、若しくは請求項３における書類自体に、スリット付き綴じ穴を形成するパンチであって、
台部と、この台部側に設けた水平な軸に一端側が係合しかつバネにより上方に付勢された状態で上下に回動可能に設けられた取っ手と、この取っ手を上下に回動させた時に取っ手の上下回動に連動して上下動する可動刃を備え、この可動刃は、綴じ穴をあける円柱刃とスリットを形成する直線刃とを一体に備え、前記台部に、前記可動刃の円柱刃及び直線刃に対応する下刃穴を備えたことを特徴とする。
【００１６】
請求項７の発明は、請求項１又は２のクリアフォルダ、若しくは請求項３の書類ファイリング用シート、若しくは請求項３における書類自体に既に綴じ穴があけられている場合に、それら対象物の綴じ穴につながるスリットを形成してスリット付き綴じ穴とするためにパンチであって、
台部と、この台部側に設けた水平な軸に一端側が係合しかつバネにより上方に付勢された状態で上下に回動可能に設けられた取っ手と、この取っ手を上下に回動させた時に取っ手の上下回動に連動して上下動する可動刃を備え、この可動刃はスリットを形成する直線刃を備えており、前記台部に、前記可動刃の直線刃に対応するスリット状の下刃穴を備えるとともに、対象物の正しい位置にスリットを形成するための対象物位置決め手段として、台部の上面の下刃穴に隣接する位置に、対象物の綴じ穴が嵌る突起を形成したことを特徴とする。
【発明の効果】
【００１７】
請求項１のクリアフォルダによれば、書類を収容したクリアフォルダを例えばパイプファイルに綴じ込む場合、クリアフォルダを単に「押し込む」という１つの操作をするだけで完了する。また、クリアフォルダをパイプファイルから取り外す場合、単に「引っ張る」あるいは「軽くねじって引っ張る」という１つの操作をするだけで完了する。
このように、従来の単なる綴じ穴だけのクリアフォルダと比較して、クリアフォルダの綴じ込み・取り外しの操作が極めて単純で容易であり、ファイリングに要する時間を大幅に短縮することができる。したがって、単体で取り扱う際に利便性を発揮するというクリアフォルダの長所を維持したまま、複数の書類を分散させずに管理できるという透明袋式フォルダの長所を兼ね備えたものとなる。
また、そのようにファイリング能率を大きく向上させる効果を、一般的なクリアフォルダに単にスリット付き綴じ穴を設けるだけという簡単な処理だけで、また、現在使用されているパイプファイルには何ら改良をほどこすことなく、実現することができるので、コスト高となる要素はほとんどない。また、現状の書類（資産）を継承したままファイリング能率向上（アクセスの高速化）を実現できる。
【００１８】
クリアフォルダのパイプファイル等に対する出し入れの頻度が多いと、スリット付き綴じ穴のスリットには綴じ穴挿通軸が何度も通過することになり、クリアフォルダのシート厚みが薄い場合には、形状が崩れて脱落し易くなることも考えられるが、そのような場合に、請求項２のクリアフォルダのように補強用シートで綴じ部領域を補強することで、そのような問題を回避できる。
また、クリアフォルダの表紙と補強用シートとの間の隙間をポケットとして利用することも可能である。
【００１９】
請求項３の書類ファイリング用シートによれば、ステープラ等で綴じ合わされた書類の綴じ部に貼り付けることで、請求項１のクリアフォルダと同様、その書類のパイプファイル等への綴じ込み・取り外しが極めて容易になり、ファイリングに要する時間を大幅に短縮することができる。
【００２０】
請求項４のファイルボックスは、書類を収容したある程度多くのクリアフォルダを着脱容易に収容することができるので、これを机上に置けば、机上の業務に必要なまとまった書類を着脱可能に管理できるので、業務能率の向上に有益である。
請求項５のように、仕切りを設けることで、ファイルボックスに安定して収容可能なクリアフォルダの数を増やすことができる。
【００２１】
請求項６のパンチによれば、綴じ穴のない一般的なクリアフォルダ等にスリット付き綴じ穴を容易に形成できる。
また、既に綴じ穴があいているクリアフォルダ等の場合には、請求項７のパンチにより、容易にスリットを入れてスリット付き綴じ穴とすることができる。
【図面の簡単な説明】
【００２２】
【図１】本発明の一実施例のクリアフォルダを示すもので、（イ）は正面図、（ロ）は（イ）の要部拡大図、（ハ）は（ロ）のＡ−Ａ断面図である。
【図２】本発明の他の実施例のクリアフォルダを示すもので、（イ）は正面図、（ロ）は（イ）の要部拡大図、（ハ）は（ロ）のＢ−Ｂ断面図である。
【図３】本発明の一実施例の書類ファイリング用シートを説明する図であり、（イ）は書類ファイリング用シートを貼り付けた書類の正面図、（ロ）は（イ）の要部拡大図、（ハ）は（ロ）のＣ−Ｃ断面図である。
【図４】本発明の他の実施例の書類ファイリング用シートを説明する図であり、（イ）は書類ファイリング用シートを貼り付けた書類の正面図、（ロ）は（イ）の要部拡大図、（ハ）は（ロ）のＤ−Ｄ断面図である。
【図５】本発明のクリアフォルダ、あるいは本発明の書類ファイリング用シートを貼り付けた書類を綴じ込むファイルの一例としてのパイプファイルの斜視図である。
【図６】図６のパイプファイルに、書類を収容した図１のクリアフォルダを複数綴じ込んだ状態を示すもので、（イ）は要部の水平断面図、（ロ）は（イ）のＥ−Ｅ断面図である。
【図７】パイプファイルの開閉可能な綴じ金具に代えて、固定的な綴じ穴挿通軸を持つ綴じ金具を設けた場合を示すもので、図６（イ）に対応する図である。
【図８】本発明のクリアフォルダを適用可能にしたファイルボックスの斜視図である。
【図９】図８のファイルボックスに複数のクリアフォルダを綴じ込んだ状態を示すもので、（イ）は縦断面図、（ロ）は水平断面図である。
【図１０】ファイルボックスの他の実施例を示す斜視図である。
【図１１】図１のクリアフォルダでは背部側に設けたスリット付き綴じ穴を反対の開口部側に設けたクリアフォルダの実施例を示すもので、（イ）は正面図、（ロ）は（イ）の要部拡大図、（ハ）は（ロ）のＦ−Ｆ断面図である。
【図１２】図２のクリアフォルダでは背部側に設けたスリット付き綴じ穴を開口部側に設けたクリアフォルダの実施例を示すもので、要部断面図（図２（ハ）に相当する図）である。
【図１３】図３や図４の実施例では書類自体にも設けたスリット付き綴じ穴を、書類ファイリング用シートのみにスリット付き綴じ穴を設けた実施例を示すもので、（イ）は片面用の書類ファイリング用シートを貼り付けた書類の部分省略の水平断面図（図３の（ハ）に相当する図）、（ロ）は両面用の書類ファイリング用シートを貼り付けた書類の部分省略の水平断面図（図４の（ハ）に相当する図）である。
【図１４】上記実施例のクリアフォルダや書類や書類ファイリング用シートにスリット付き綴じ穴をあけるパンチの実施例を示すもので、パンチの平面図である。
【図１５】図１４のパンチのＧ−Ｇ断面図である。
【図１６】図１４、図１５のパンチにおける刃の実施例を示す斜視図である。
【図１７】既に円形の綴じ穴があいているクリアフォルダにスリットを形成してスリット付き綴じ穴とするパンチにおける可動刃の実施例を示す斜視図である。
【図１８】図１７の実施例の場合に、クリアフォルダの位置決め手段を設けた実施例を示す図である。
【図１９】従来の一般的なクリアフォルダを示す図である。
【発明を実施するための形態】
【００２３】
以下、本発明を実施したクリアフォルダ、書類ファイリング用シート、ファイルボックス、及びパンチについて、図面を参照して説明する。
【実施例１】
【００２４】
図１は本発明の一実施例のクリアフォルダ１を示すもので、（イ）は正面図、（ロ）は（イ）の要部拡大図、（ハ）は（ロ）のＡ−Ａ断面図である。
このクリアフォルダ１は、透明かつ可撓性を有する合成樹脂製の長方形の樹脂シートを２つに折り返して、重ね合わされた表シート１ａと裏表紙１ｂとが形成されるようにし、その折り返し部を背部１ｃとし、下辺部１ｄを溶着により閉塞した構成である。背部１ｃと反対側の辺が開口部１ｅとなっており、また上辺も閉塞されておらず開口部１ｆとなっている。１ｇは開口部１ｅを開き易くするための円弧状の切欠きである。
ここで透明とは着色透明や半透明も含む。このクリアフォルダの材質は、透明かつ可撓性を有する合成樹脂シートであれば、種々のものを使用できるが、例えばポリプロピレンなどが一般に使用される。厚さは例えば０．２ｍｍ程度であるが、特に限定されない。サイズはＡ４サイズの書類を収容することを想定しているが、必ずしもこれに限定されない。ただし、名刺サイズなどのような小サイズのものは含まない。
【００２５】
上述した構成自体は従来の一般的なクリアフォルダと同様であるが、この実施例のクリアフォルダ１は、背部１ｃ側に、綴じ穴２ａとこの綴じ穴２ａからそれぞれ背部１ｃ側の端縁に達するスリット２ｂとからなる２つのスリット付き綴じ穴２が形成している。スリット２ｂの開口端は、後述するパイプファイルのパイプ（綴じ穴挿通軸）にスムーズな綴じ込みが行われるように、アール（丸み）を付けるか、図示例のように面取り２ｃするとよい。
この実施例では、スリット付き綴じ穴２を設ける綴じ部領域３は、表紙１ａと裏表紙１ｂとを接合している。したがって、書類が収容されるスペースは、綴じ部領域３を除く範囲であり、その範囲にＡ４サイズの書類が収容可能である。すなわち、綴じ穴のない一般的なクリアフォルダのサイズより、綴じ部領域３の分だけ幅を広くする。
このスリット付き綴じ穴２は、図示例では２つであるが、４つとする場合もある。また、後述するように、スリット付き綴じ穴を背部１ｃ側でなく、その反対の開口部１ｅ側に設けることもできる。
【００２６】
図５〜図７を参照して、書類８を収容したこのクリアフォルダ１をパイプファイル５に綴じ込む要領を説明する。
まず、パイプファイル５について説明すると、パイプファイル５は、厚く剛性のある表紙６ａと裏表紙６ｂとある程度幅のある背部６ｃとを有するファイル本体６の背部６ｃに綴じ金具７を取り付けた構成である。図５では綴じ金具７を簡略化して示している。
【００２７】
前記綴じ金具７は、図６に示すように、ファイル本体６の背部６ｃに固定された基板７ａと、この基板７ａにヒンジにより回動可能に取り付けられた側板７ｂと、この側板７ｂに固定されたパイプ（綴じ穴挿通軸）７ｃと、前記側板７ｂと反対側で基板７ａに垂直に固定された側板７ｄと、前記パイプ７ｃに差し込まれる心棒７ｅを固定した押さえ板７ｆと、基板７ａにヒンジにより回動可能に取り付けられた、前記押さえ板７ｆを係止するための係止板（ロック）７ｇとを持つ。なお、実際の綴じ金具７の機構はさらに複雑であるが、図示では簡略化している。
【００２８】
このパイプファイル５に、書類を収容したクリアフォルダ１を綴じ込む場合、スリット付き綴じ穴２のスリット２ｂをパイプ７ｃ（綴じ穴挿通軸）に向けて押し込めば、パイプ７ｃが綴じ穴２ａに挿通された状態となる。すなわち、クリアフォルダ１を単に「押し込む」という１つの操作をするだけで綴じ込み操作が完了する。スリット２ｂは狭いので、特に力を加えない限り、パイプ７ｃが綴じ穴２ａから抜けることはなく、クリアフォルダ１はみだりに外れることはない。
また、クリアフォルダ１をパイプファイル５から取り外す場合、単に引っ張るか、あるいは軽くねじって引っ張ると、パイプ７ｃから外れる。このように、単に「引っ張る」か「軽くねじって引っ張る」という１つの操作をするだけで取り外し操作が完了する。
このように、従来の単なる綴じ穴だけのクリアフォルダと比較して、クリアフォルダの綴じ込み・取り外しの操作が極めて単純で容易であり、ファイリングに要する時間を大幅に短縮することができる。したがって、単体で取り扱う際に利便性を発揮するというクリアフォルダの長所を維持したまま、複数の書類を分散させずに管理できるという透明袋式フォルダの長所を兼ね備えたものとなる。
また、そのようにファイリング能率を大きく向上させる効果を、一般的なクリアフォルダに単にスリット付き綴じ穴を設けるだけという簡単な処理だけで、また、現在使用されているパイプファイルには何ら改良をほどこすことなく、実現することができるので、コスト高となる要素はほとんどない。また、現状の書類（資産）を継承したままファイリング能率向上（アクセスの高速化）を実現できる。
【実施例２】
【００２９】
上記実施例では、クリアフォルダ１を、押さえ板を７ｄを側板７ｄから外すことが可能なパイプファイル５、すなわち綴じ穴挿通軸（パイプ７ｃ）の一端を開放可能なパイプファイルに綴じ込む場合について説明したが、本発明のクリアフォルダ１は、綴じ穴挿通軸に対して押し込む操作及び引っ張る操作でクリアフォルダ１の綴じ込み・取り外しが可能なので、綴じ穴挿通軸の一端を開放可能とする必要はない。
したがって、図７に示したファイル５のように、基板７ａ’の両側に固定された側板７ｂ’、７ｄ’間に単に綴じ穴挿通軸７ｃ’を固定的に架け渡した構造の綴じ金具７’に対して、クリアフォルダ１の綴じ込み、取り外しをすることができる。したがって、安価なファイルで済む。
【実施例３】
【００３０】
図２に本発明の他の実施例のクリアフォルダ１１を示す。この実施例のクリアフォルダ１１は、図１のクリアフォルダ１における表シート１ａのスリット付き綴じ穴２が設けられた辺の側に、可撓性を有し前記スリット付き綴じ穴２と一致するスリット付き綴じ穴２’を有する合成樹脂製等の補強用シート１２を貼り合わせたものである。補強用シート１２におけるスリット付き綴じ穴２’の綴じ穴を２ａ’、スリットを２ｂ’で示す。
クリアフォルダのパイプファイルに対する出し入れの頻度が多いと、スリット付き綴じ穴のスリットにはパイプ（綴じ穴挿通軸）が何度も通過することになり、クリアフォルダのシート厚みが薄い場合には、形状が崩れて脱落し易くなることも考えられるが、そのような場合に、この実施例のクリアフォルダ１２は、スリット付き綴じ穴２の部分が補強用シート１２で補強されているので、そのような問題を回避できる。
また、この実施例の補強用シート１２は、上辺側が幅狭、下辺側が幅広であり、一方の側縁が傾斜した形状としている。そして、クリアフォルダの上部及び下部における表紙と補強用シートとの間の隙間をポケット１３、１４として利用し、名刺１５やカード１６等を入れるスペースとしている。上下のポケット１３、１４の中間部分もポケットとすることもできるが、この部分も綴じ部領域３と同様にクリアフォルダ１に貼り付けてもよい。
【実施例４】
【００３１】
図３は書類ファイリング用シートの実施例を示す。この書類ファイリング用シート２１は、複数枚の紙葉を例えばステープラ２３で綴じ合わせた書類２４のパイプ綴じ部（パイプファイルのパイプが通る部分）の近傍に貼り付けられる書類ファイリング用シートであって、綴じ穴２２ａとこの綴じ穴２２ａからシート端縁に達するスリット２２ｂとからなる図示例では２つスリット付き綴じ穴２２を有する。
この実施例は、書類ファイリング用シート２１を書類２４の片面に貼り付けている。この実施例の書類ファイリング用シート２１は、２〜１０枚程度の紙葉を綴じた書類に適用するとよい。
書類ファイリング用シート２１の材質としては、ポリプロピレンその他を用いることができるが、弾性機能紙を用いることもできる。
書類ファイリング用シート２１の書類２４への貼り付けは、着脱可能とするために、粘着剤による貼り付けが好適である。但し、特に支障がなければ接着固定してもよい。
【００３２】
実施例は書類２４に既にスリット付き綴じ穴２２’があいている場合であり、この場合は、書類ファイリング用シート２１のスリット付き綴じ穴２２を書類２３のスリット付き綴じ穴２２’に合わせて貼り付ける。
また、書類にスリット付き綴じ穴２２’があいていない場合は、まだスリット付き綴じ穴２２をあけていない書類ファイリング用シート材を書類２４の綴じ部に貼り付けた後、後述するパンチにより、両者合わせてスリット付き綴じ穴２２、２２’を形成することができる。
このように書類ファイリング用シート２１を貼り付けた書類２４は、図１のクリアフォルダ１と同様、その書類２４のパイプファイル等への綴じ込み・取り外しが極めて容易になり、ファイリングに要する時間を大幅に短縮することができる。
【実施例５】
【００３３】
図４は書類ファイリング用シートの他の実施例を示す。この実施例の書類ファイリング用シート２５は、例えば１１〜３０枚程度の紙葉をステープラ２３などで綴じ合わせた冊子状の書類２６の綴じ部（パイプファイルのパイプが通る部分）の近傍に貼り付けられる書類ファイリング用シートである。
この書類ファイリング用シート２５は、書類２６が厚くなっており剛性が要するので、書類２６の綴じ部側で表裏に跨って両面に貼り付けられる構成としており、綴じ部の両面にスリット付き綴じ穴２２を備えている。表裏のスリット付き綴じ穴２２は、前記と同様に綴じ穴２２ａとこの綴じ穴２２ａから端縁に達するスリット２２ｂとからなる。書類２６に設けたスリット付き綴じ穴を２２’で示し、その綴じ穴を２２ａ’、スリットを２２ｂ’で示す。
【実施例６】
【００３４】
図８に例えば図１のクリアフォルダ１を収容する樹脂製のファイルボックスを示す。
このファイルボックス３１は、底部３２と左右の側壁３３と背壁３４とを有し、クリアフォルダ１の２つスリット付き綴じ穴２に対応する綴じ穴挿通軸３５が左右の壁部３３間に渡されている。
このファイルボックス３１には、書類を収容したクリアフォルダ１を図９に示すように収容する。すなわち、クリアフォルダ１のスリット付き綴じ穴２を綴じ穴挿通軸３５に向けて押し込ん、ファイルボックス３１に綴じ込む。取り外す時は軽く捩って引っ張る。
【００３５】
このファイルボックス３１によれば、書類を収容したある程度多くのクリアフォルダ１を着脱容易に収容することができるので、これを机上に置けば、業務に頻繁に使用する書類をまとめて着脱可能に管理できるので、業務能率の向上に有益である。
クリアフォルダを収容する場合に限らず、書類ファイリング用シート２１、２５を貼り付けた書類２４、２６を収容することも当然できる。
【００３６】
図１０に示したファイルボックス４１は、同じく底部４２と左右の側壁４３と背壁４４とを有し、クリアフォルダ１の２つスリット付き綴じ穴２に対応する綴じ穴挿通軸４５が左右の壁部４３間に渡されているが、やや大形で本立て型であり、仕切り４６を設けている。
この仕切り４６を設けることで、ファイルボックス４１に安定して収容可能なクリアフォルダ等の数を増やすことができる。
【実施例７】
【００３７】
実施例１の説明では、スリット付き綴じ穴をクリアフォルダの背部側に設けたが、図１１に断面で示したクリアフォルダ１’のように、スリット付き綴じ穴２を開口部１ｅ側に設けることもできる。この場合、クリアフォルダ１’の幅は、一般的なクリアフォルダの幅より広くして、Ａ４サイズの用紙を綴じ部領域３’を除く範囲に収容できる幅とする。
図２のクリアフォルダ１１のように補強用シート１２を貼り付ける場合でも、図１２に断面で示したクリアフォルダ１１’のように、スリット付き綴じ穴２を開口部１ｅ側に設けることもできる。
【実施例８】
【００３８】
また、図３のように書類２４に書類ファイリング用シート２１を貼り付ける実施例の変形例として、図１３（イ）に示すように、書類２４’にはスリット付き綴じ穴を設けずに、スリット付き綴じ穴２２’をあけた書類ファイリング用シート２１’を書類２４’の綴じ部側に貼り付けることもできる。
この場合は、書類ファイリング用シート２１’のシート材として若干剛性の高い樹脂シートを用いるとよい。
また、図４のように書類２６に綴じ部側で表裏に跨る書類ファイリング用シート２５を貼り付ける実施例の変形例として、図１３（ロ）に示すように、書類２６’にはスリット付き綴じ穴を設けずに、スリット付き綴じ穴２２’をあけた書類ファイリング用シート２５’を書類２６’の綴じ部側に貼り付けることもできる。
【実施例９】
【００３９】
図１又は図２のクリアフォルダ１又は１１におけるスリット付き綴じ穴２を形成するためのパンチの一実施例を図１４〜図１６に示す。
このパンチ５１は、台部５２と、台部５２側の枠体５９に支持された水平な軸５３に一端側が長穴５９ａによる可動代を有して係合しかつねじりバネ５４により上方に付勢された状態で上下に回動可能に設けられた取っ手５５と、この取っ手５５を上下に回動させた時に取っ手５５の上下回動に連動して上下動する可動刃５６を備えている。
上述の構成は、可動刃５６に関連する部分を除けば、単なる円形の綴じ穴をあける従来の一般的なパンチと同じ構成であるが、このパンチ５１の可動刃５６は、綴じ穴をあける円柱刃５６ａとスリットを形成する直線刃５６ｂとを一体に備えている。
そして、台部５２の上板５２ａに、前記可動刃５６の円柱刃５６ａと直線刃５６ｂにそれぞれ対応する円形穴５７ａと細長い矩形穴５７ｂとからなる下刃穴５７が形成されている。
前記可動刃５６は、その円柱刃５６ａが、取っ手５５に固定した、前記軸５３と平行な支持軸５８に固定されて、取っ手５５の上下動に連動して上下動する。取っ手５５はねじりバネ５４で上方に付勢されている。
クリアフォルダ１の側縁部をパンチ５１に挿入し、取っ手５５を押し下げて軸５３の近傍を中心として下方に回動させると、支持軸５８を介して可動刃５６が下降し、その円柱刃５６ａと直線刃５６ｂとでクリアフォルダ１にスリット付き綴じ穴２が形成される。
なお、クリアフォルダ１に設けるスリットは、シートをせん断して形成したスリット、あるいは、打ち抜いたスリット（切り屑のでるスリット）のいずれでもよい。
【００４０】
クリアフォルダに既に綴じ穴があけられている場合には、綴じ穴につながるスリットを形成するだけでよい。
そのスリットを形成するためのパンチとしては、パンチ本体自体は図１４、図１５に示した構造のものでよいが、図１７に示すように、可動刃５６’として、単なる細い直線状の直線刃５６ｂ’を用いる。この可動刃５６’（すなわち直線刃５６ｂ’）は、水平な支持軸５８に固定した縦軸部（図１６の円柱刃５６ａの上部に相当）５６ｃ’の下端に一体に設けるとよい。
この場合、台部５２の上板５２ａに、直線刃５６ｂ’に対応する細長い矩形穴５７ｂ’のみからなる下刃穴５７’を形成する。
この場合、スリットを綴じ穴に対して正確な位置に形成するために、クリアフォルダ１を正確に位置決めする必要があるので、何らかの位置決め手段を設ける。例えば、図１８（イ）、（ロ）に示すように、台部５２の上板５２ａの上面における下刃穴５７’に隣接する位置に、クリアフォルダ１の綴じ穴２ａを嵌合させる突起５２ｂを形成するとよい。
クリアフォルダ１の綴じ穴２ａを前記突起５２ｂに嵌合させることで、クリアフォルダ１の位置決め（スリットを設けるべき位置の位置決め）が正確に行われる。
【００４１】
上記ではクリアフォルダにスリット付き綴じ穴を形成する場合として説明したが、このパンチ５１は、図３あるいは図４の書類ファイリング用シートに、あるいは書類自体にスリット付き綴じ穴をあける場合にも当然使用できる。
【符号の説明】
【００４２】
１、１’、１１、１１’  クリアフォルダ
１ａ  表紙
１ｂ  裏表紙
１ｃ  背部
１ｄ  下辺部
１ｅ  開口部
２、２’、２２、２２’  スリット付き綴じ穴
２ａ、２ａ’、２２ａ、２２ａ’    綴じ穴
２ｂ、２ｂ’、２２ｂ、２２ｂ’  スリット
３、３’  綴じ部領域
４  
５  パイプファイル
６  ファイル本体
７、７’  綴じ金具
７ｃ  パイプ（綴じ穴挿通軸）
７ｃ  綴じ穴挿通軸
８  書類
１２、１２’  補強用シート
１３、１４  ポケット
２１、２１’、２５、２５’  書類ファイリング用シート
２４、２４’、２６、２６’  書類
３１、４１  ファイルボックス
３５、４５  綴じ穴挿通軸
５１  パンチ
５２  台部
５２ａ  上板
５２ｂ  突起
５３  軸
５４  バネ
５５  取っ手
５６  可動刃
５６ａ  円柱刃
５６ｂ  直線刃
５７    下刃穴
５７ａ  円形穴
５７ｂ  細長い矩形穴
５８  支持軸
５９  枠体
【図１】
2011218593.tif 000003
【図２】
2011218593.tif 000004
【図３】
2011218593.tif 000005
【図４】
2011218593.tif 000006
【図５】
2011218593.tif 000007
【図６】
2011218593.tif 000008
【図７】
2011218593.tif 000009
【図８】
2011218593.tif 000010
【図９】
2011218593.tif 000011
【図１０】
2011218593.tif 000012
【図１１】
2011218593.tif 000013
【図１２】
2011218593.tif 000014
【図１３】
2011218593.tif 000015
【図１４】
2011218593.tif 000016
【図１５】
2011218593.tif 000017
【図１６】
2011218593.tif 000018
【図１７】
2011218593.tif 000019
【図１８】
2011218593.tif 000020
【図１９】
2011218593.tif 000021
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
透明かつ可撓性を有する合成樹脂製の長方形の表シートと裏シートとが背部及び下辺部において閉塞され少なくとも前記背部と反対側の辺が開口部とされているクリアフォルダにおいて、  前記背部側又は開口部側のいずれか一方に、綴じ穴とこの綴じ穴からそれぞれ背部側又は開口部側の端縁に達する直線状のスリットとからなる２つ又は４つのスリット付き綴じ穴を形成してなり、 前記表シートにおける前記スリット付き綴じ穴が設けられた綴じ部領域に、可撓性を有し前記スリット付き綴じ穴と一致するスリット付き綴じ穴を一方の側辺部に有する、表シートより幅の狭い合成樹脂製の補強用シートの前記一方の側辺部を接合し、かつ、  前記補強用シートの前記一方の側辺部を除く部分と表シートとの隙間に、名刺やカードなどを入れるスペースとしてのポケットが形成されるように、補強用シートと表シートとをシート上下辺と平行な線状接合部にて接合したことを特徴とするクリアフォルダ。
【請求項２】
前記補強用シートは、上辺側の幅が狭く下辺側の幅が広い、綴じ部と反対側の側辺が傾斜した形状をなしており、前記ポケットが上辺側と下辺側とにそれぞれ形成されていることを特徴とする請求項１記載のクリアフォルダ。
【請求項３】
請求項１のクリアフォルダにおけるスリット付き綴じ穴を形成するパンチであって、  台部と、この台部側に設けた水平な軸に一端側が係合しかつバネにより上方に付勢された状態で上下に回動可能に設けられた取っ手と、この取っ手を上下に回動させた時に取っ手の上下回動に連動して上下動する可動刃を備え、この可動刃は、綴じ穴をあける円柱刃とスリットを形成する直線刃とを一体に備え、前記台部に、前記可動刃の円柱刃及び直線刃に対応する下刃穴を備えたことを特徴とするパンチ。
【請求項４】
請求項１のクリアフォルダにおけるスリット付き綴じ穴の綴じ穴のみが既にあけられている場合に、その綴じ穴につながる直線状のスリットを形成してスリット付き綴じ穴とするためにパンチであって、  台部と、この台部側に設けた水平な軸に一端側が係合しかつバネにより上方に付勢された状態で上下に回動可能に設けられた取っ手と、この取っ手を上下に回動させた時に取っ手の上下回動に連動して上下動する可動刃を備え、この可動刃はスリットを形成する直線刃を備えており、前記台部に、前記可動刃の直線刃に対応するスリット状の下刃穴を備えるとともに、対象物の正しい位置にスリットを形成するための対象物位置決め手段として、台部の上面の下刃穴に隣接する位置に、対象物の綴じ穴が嵌る突起を形成したことを特徴とするパンチ。
【手続補正２】
【補正対象書類名】明細書
【補正対象項目名】全文
【補正方法】変更
【補正の内容】
【発明の詳細な説明】
【技術分野】
【０００１】  この発明は、書類のパイプファイル等に対する綴じ込み・取り外しを容易にして、ファイリングに要する時間を短縮することを可能にするクリアフォルダ、及びその作製に供されるパンチに関する。
【背景技術】
【０００２】  あまり枚数の多くない書類を収納保管するのに適したファイリング用品として、クリアフォルダが広く使用されている。  この種のクリアフォルダは一般に、図１９に示したクリアフォルダ１００のように、透明かつ可撓性を有する合成樹脂製の長方形の樹脂シートを２つに折り返して、重ね合わされた表シート１００ａと裏表紙１００ｂとが形成されるようにし、その折り返し部を背部１００ｃとし、下辺部１００ｄを溶着により閉塞した構成であり、少なくとも背部１００ｃと反対側の辺が開口部１００ｅとなっている。上辺１００ｆは一般には図示のように開口部とされているが、上辺の全体又は一部を溶着により閉塞したものもある。【０００３】  この種のクリアフォルダ１００は、あまり枚数の多くない書類を保管する場合に、それらを散逸することなく取り扱い容易に保管することができ、かつ可搬性が高いので、単体で取り扱う際に利便性を発揮する。このため、単体で使用される場合が多いが、書類を収容したクリアフォルダの数が多くなると、書類が分散しがちになり管理が煩雑化する。  そこで、複数のクリアフォルダをファイリング用品に収容することが考えられる。その場合、図１９に示した一般的なクリアフォルダ１では、いわゆるリングファイルやパイプファイルに綴じ込んで保管するはできない。なお、リングファイルとは、書類等に設けた複数の綴じ穴に通される開閉可能なリングで書類を綴じレバーを押してリングを開くリング綴じ金具を持つ構成のものを指す（特許文献１参照）。また、パイプファイルの構成については後述する（段落番号[００２６]、[００２７]）。【０００４】  リングファイルに綴じ込んで保管することが可能なクリアフォルダとして、長方形のクリアフォルダの側辺部に綴じ穴（パンチ穴）をあけたものがある（特許文献１の図１、図４）。  また、同じくリングファイルに綴じ込んで保管することが可能なクリアフォルダとして、特許文献１のクリアフォルダのように長方形のクリアフォルダの側辺側に直接綴じ穴をあけるのでなく、綴じ穴をあけた突出片を側辺部の外側に設けたものもある（特許文献２）。  また、パイプファイルに綴じ込むための穴を設けた２穴又は４穴のクリアホルダーも存在する。【０００５】  上記特許文献１、２はいずれも、クリアフォルダに単に円形の綴じ穴を設けるものであるが、特許文献３のように、綴じ穴にＬ形に連通する広い開口（切り込み３）を形成したクリアフォルダもある。  このクリアフォルダは、リングファイルやパイプファイル等に綴じ込む場合でなく、押さえ具を持つファイルホルダ（いわゆるフラットフォルダ）に綴じ込むもの（特許文献３の図３参照）で、押さえ具を取り外すことなく単に緩めるだけで、クリアフォルダの綴じ込み、取り外しを行うことができるというものである。
【先行技術文献】
【特許文献】
【０００６】
【特許文献１】特開２００２−１３７５８６
【特許文献２】特開２００８−１３２６４５
【特許文献３】実用新案登録第３１４６１２０号
【発明の概要】
【発明が解決しようとする課題】
【０００７】  特許文献１あるいは特許文献２のクリアフォルダは、綴じ穴を設けているので、リングファイルに綴じ込むことができ、書類をそれぞれ収容した複数のクリアフォルダを纏めて保管する場合に対応できる。  しかし、綴じ穴が単なる円形の綴じ穴であるから、クリアフォルダを綴じ込み、取り外す操作は煩雑である。すなわち、（１）リング綴じ具のレバーを押してリングを開き、（２）クリアフォルダに設けた綴じ穴をリングに通し、（３）リングを閉ざすという３段階の操作が必要であり、煩雑である。  また、この種のクリアフォルダをパイプファイルで保管するとしても、パイプファイルに対して綴じ込み・取り外し際の煩雑さは同様である。すなわち、書類を綴じ込む場合は、（１）綴じ金具のロックを外して、綴じ穴挿通軸であるパイプに挿入されている心棒を一体に持つ押さえ板を外す、（２）書類をパイプ（綴じ穴挿通軸）に通す、（３）押さえ板の心棒をパイプに差し込み、押さえ板をロックする、という３段階の操作が必要となり、綴じ込み・取り外しが煩雑である。  このため、単体で取り扱う際に利便性を発揮するというクリアフォルダの長所が失われ、上辺のみ開口した透明樹脂フィルム製の書類収容袋の複数枚をその側辺部で綴じた書類ホルダー（仮に透明袋式フォルダと呼ぶ）の一種として使われてしまっていることのが現状である。この透明袋式フォルダは複数の書類を分散させずに管理できる点で優れているが、単体での取り扱い性に欠ける。【０００８】  また、綴じ穴にＬ形に連通する広い開口（切り込み３）を形成した特許文献３のクリアフォルダは、これを押さえ具で押さえ付けるフラットフォルダに綴じ込む場合には問題ないとしても、押さえ具を持たないリングファイルや、押さえ板が、綴じ込んだ書類を挟持するのではなく単に外れ防止機能を持つに過ぎないパイプファイル等に使用すると、容易に外れてしまい、採用できない。【０００９】  本発明は上記背景のもとになされたもので、書類のパイプファイル等に対する綴じ込み・取り外しを容易にして、ファイリングに要する時間を短縮することを可能にするクリアフォルダを提供することを目的とし、また、その作製に供されるパンチを提供することを目的とする。
【課題を解決するための手段】
【００１０】  上記課題を解決する請求項１の発明は、透明かつ可撓性を有する合成樹脂製の長方形の表シートと裏シートとが背部及び下辺部において閉塞され少なくとも前記背部と反対側の辺が開口部とされているクリアフォルダにおいて、  前記背部側又は開口部側のいずれか一方に、綴じ穴とこの綴じ穴からそれぞれ背部側又は開口部側の端縁に達する直線状のスリットとからなる２つ又は４つのスリット付き綴じ穴を形成してなり、 前記表シートにおける前記スリット付き綴じ穴が設けられた綴じ部領域に、可撓性を有し前記スリット付き綴じ穴と一致するスリット付き綴じ穴を一方の側辺部に有する、表シートより幅の狭い合成樹脂製の補強用シートの前記一方の側辺部を接合し、かつ、  前記補強用シートの前記一方の側辺部を除く部分と表シートとの隙間に、名刺やカードなどを入れるスペースとしてのポケットが形成されるように、補強用シートと表シートとをシート上下辺と平行な線状接合部にて接合したことを特徴とする。【００１１】  請求項２は、請求項１のクリアフォルダにおいて、補強用シートが、上辺側の幅が狭く下辺側の幅が広い、綴じ部と反対側の側辺が傾斜した形状をなしており、ポケットが上辺側と下辺側とにそれぞれ形成されていることを特徴とする。【００１２】  請求項３の発明は、請求項１のクリアフォルダにおけるスリット付き綴じ穴を形成するパンチであって、  台部と、この台部側に設けた水平な軸に一端側が係合しかつバネにより上方に付勢された状態で上下に回動可能に設けられた取っ手と、この取っ手を上下に回動させた時に取っ手の上下回動に連動して上下動する可動刃を備え、この可動刃は、綴じ穴をあける円柱刃とスリットを形成する直線刃とを一体に備え、前記台部に、前記可動刃の円柱刃及び直線刃に対応する下刃穴を備えたことを特徴とする。【００１３】  請求項４の発明は、請求項１のクリアフォルダにおけるスリット付き綴じ穴の綴じ穴のみが既にあけられている場合に、その綴じ穴につながる直線状のスリットを形成してスリット付き綴じ穴とするためにパンチであって、  台部と、この台部側に設けた水平な軸に一端側が係合しかつバネにより上方に付勢された状態で上下に回動可能に設けられた取っ手と、この取っ手を上下に回動させた時に取っ手の上下回動に連動して上下動する可動刃を備え、この可動刃はスリットを形成する直線刃を備えており、前記台部に、前記可動刃の直線刃に対応するスリット状の下刃穴を備えるとともに、対象物の正しい位置にスリットを形成するための対象物位置決め手段として、台部の上面の下刃穴に隣接する位置に、対象物の綴じ穴が嵌る突起を形成したことを特徴とする。
【発明の効果】
【００１４】  請求項１のクリアフォルダによれば、書類を収容したクリアフォルダを例えばパイプファイルに綴じ込む場合、クリアフォルダを単に「押し込む」という１つの操作をするだけで完了する。また、クリアフォルダをパイプファイルから取り外す場合、単に「引っ張る」あるいは「軽くねじって引っ張る」という１つの操作をするだけで完了する。  このように、従来の単なる綴じ穴だけのクリアフォルダと比較して、クリアフォルダの綴じ込み・取り外しの操作が極めて単純で容易であり、ファイリングに要する時間を大幅に短縮することができる。したがって、単体で取り扱う際に利便性を発揮するというクリアフォルダの長所を維持したまま、複数の書類を分散させずに管理できるという透明袋式フォルダの長所を兼ね備えたものとなる。  また、そのようにファイリング能率を大きく向上させる効果を、一般的なクリアフォルダに単にスリット付き綴じ穴を設けるだけという簡単な処理だけで、また、現在使用されているパイプファイルには何ら改良をほどこすことなく、実現することができるので、コスト高となる要素はほとんどない。また、現状の書類（資産）を継承したままファイリング能率向上（アクセスの高速化）を実現できる。【００１５】  クリアフォルダのパイプファイル等に対する出し入れの頻度が多いと、スリット付き綴じ穴のスリットには綴じ穴挿通軸が何度も通過することになり、クリアフォルダのシート厚みが薄い場合には、形状が崩れて脱落し易くなることも考えられるが、本発明では補強用シートで綴じ部領域を補強しているので、そのような問題を回避できる。  また、クリアフォルダの表紙と補強用シートとの間の隙間に、名刺やカードなどを入れるスペースとしてのポケットが形成されており、補強用シートが綴じ部補強機能とポケット形成機能とを兼ねて、使用価値の高いクリアフォルダとなっている。【００１６】  請求項３のパンチによれば、請求項１のクリアフォルダにおいてスリット付き綴じ穴がまだ形成されていない場合に、スリット付き綴じ穴を容易に形成できる。  また、請求項１のクリアフォルダにおいて円形の綴じ穴はあけられているがスリットがまだ形成されていない場合に、請求項４のパンチにより、容易にスリットを入れてスリット付き綴じ穴とすることができる。
【図面の簡単な説明】
【００１７】
【図１】本発明の参考例としてのクリアフォルダを示すもので、（イ）は正面図、（ロ）は（イ）の要部拡大図、（ハ）は（ロ）のＡ−Ａ断面図である。
【図２】本発明の一実施例のクリアフォルダを示すもので、（イ）は正面図、（ロ）は（イ）の要部拡大図、（ハ）は（ロ）のＢ−Ｂ断面図である。
【図３】本発明の他の参考例としての書類ファイリング用シートを説明する図であり、（イ）は書類ファイリング用シートを貼り付けた書類の正面図、（ロ）は（イ）の要部拡大図、（ハ）は（ロ）のＣ−Ｃ断面図である。
【図４】本発明のさらに他の参考例としての書類ファイリング用シートを説明する図であり、（イ）は書類ファイリング用シートを貼り付けた書類の正面図、（ロ）は（イ）の要部拡大図、（ハ）は（ロ）のＤ−Ｄ断面図である。
【図５】本発明のクリアフォルダを綴じ込むファイルの一例としてのパイプファイルの斜視図である。
【図６】図６のパイプファイルに、書類を収容した図１の参考例のクリアフォルダを複数綴じ込んだ状態を示すもので、（イ）は要部の水平断面図、（ロ）は（イ）のＥ−Ｅ断面図である。
【図７】パイプファイルの開閉可能な綴じ金具に代えて、固定的な綴じ穴挿通軸を持つ綴じ金具を設けた場合を示すもので、図６（イ）に対応する図である。
【図８】本発明のクリアフォルダを綴じ込むことができるファイルボックスの斜視図である。
【図９】図８のファイルボックスに複数のクリアフォルダ（図示のクリアフォルダ自体は図１の参考例のもの）を綴じ込んだ状態を示すもので、（イ）は縦断面図、（ロ）は水平断面図である。
【図１０】参考例としてのファイルボックスの他の例を示す斜視図である。
【図１１】図１のクリアフォルダでは背部側に設けたスリット付き綴じ穴を反対の開口部側に設けたクリアフォルダ(図示のクリアフォルダ自体は参考例であるが、ポケット形成を兼ねる補強用シート１２を備えた構成とした場合には本発明の実施例のクリアフォルダ)を示すもので、（イ）は正面図、（ロ）は（イ）の要部拡大図、（ハ）は（ロ）のＦ−Ｆ断面図である。
【図１２】図２のクリアフォルダでは背部側に設けたスリット付き綴じ穴を開口部側に設けたクリアフォルダの実施例を示すもので、要部断面図（図２（ハ）に相当する図）である。
【図１３】図３や図４の参考例では書類自体にも設けたスリット付き綴じ穴を、書類ファイリング用シートのみにスリット付き綴じ穴を設けた参考例を示すもので、（イ）は片面用の書類ファイリング用シートを貼り付けた書類の部分省略の水平断面図（図３の（ハ）に相当する図）、（ロ）は両面用の書類ファイリング用シートを貼り付けた書類の部分省略の水平断面図（図４の（ハ）に相当する図）である。
【図１４】図２のクリアフォルダにおいてスリット付き綴じ穴がまだ形成されていない場合に、そのスリット付き綴じ穴をあけるパンチの実施例を示すもので、パンチの平面図である。
【図１５】図１４のパンチのＧ−Ｇ断面図である。
【図１６】図１４、図１５のパンチにおける刃の実施例を示す斜視図である。
【図１７】図２のクリアフォルダにおけるスリット付き綴じ穴の綴じ穴のみが既にあけられている場合に、その綴じ穴につながる直線状のスリットを形成してスリット付き綴じ穴とするパンチにおける可動刃の実施例を示す斜視図である。
【図１８】図１７の実施例の場合に、クリアフォルダの位置決め手段を設けた実施例を示す図である。
【図１９】従来の一般的なクリアフォルダを示す図である。
【発明を実施するための形態】
【００１８】  以下、本発明を実施したクリアフォルダ、及びパンチについて、図面を参照して説明する。
【実施例１】
【００１９】  図１は本発明の参考例としてのクリアフォルダ１を示すもので、（イ）は正面図、（ロ）は（イ）の要部拡大図、（ハ）は（ロ）のＡ−Ａ断面図である。  このクリアフォルダ１は、透明かつ可撓性を有する合成樹脂製の長方形の樹脂シートを２つに折り返して、重ね合わされた表シート１ａと裏表紙１ｂとが形成されるようにし、その折り返し部を背部１ｃとし、下辺部１ｄを溶着により閉塞した構成である。背部１ｃと反対側の辺が開口部１ｅとなっており、また上辺も閉塞されておらず開口部１ｆとなっている。１ｇは開口部１ｅを開き易くするための円弧状の切欠きである。  ここで透明とは着色透明や半透明も含む。このクリアフォルダの材質は、透明かつ可撓性を有する合成樹脂シートであれば、種々のものを使用できるが、例えばポリプロピレンなどが一般に使用される。厚さは例えば０．２ｍｍ程度であるが、特に限定されない。サイズはＡ４サイズの書類を収容することを想定しているが、必ずしもこれに限定されない。ただし、名刺サイズなどのような小サイズのものは含まない。【００２０】  上述した構成自体は従来の一般的なクリアフォルダと同様であるが、この参考例のクリアフォルダ１は、背部１ｃ側に、綴じ穴２ａとこの綴じ穴２ａからそれぞれ背部１ｃ側の端縁に達するスリット２ｂとからなる２つのスリット付き綴じ穴２が形成している。スリット２ｂの開口端は、後述するパイプファイルのパイプ（綴じ穴挿通軸）にスムーズな綴じ込みが行われるように、アール（丸み）を付けるか、図示例のように面取り２ｃするとよい。  この実施例では、スリット付き綴じ穴２を設ける綴じ部領域３は、表紙１ａと裏表紙１ｂとを接合している。したがって、書類が収容されるスペースは、綴じ部領域３を除く範囲であり、その範囲にＡ４サイズの書類が収容可能である。すなわち、綴じ穴のない一般的なクリアフォルダのサイズより、綴じ部領域３の分だけ幅を広くする。  このスリット付き綴じ穴２は、図示例では２つであるが、４つとする場合もある。また、後述するように、スリット付き綴じ穴を背部１ｃ側でなく、その反対の開口部１ｅ側に設けることもできる。【００２１】  図５〜図７を参照して、書類８を収容したこのクリアフォルダ１をパイプファイル５に綴じ込む要領を説明する。  まず、パイプファイル５について説明すると、パイプファイル５は、厚く剛性のある表紙６ａと裏表紙６ｂとある程度幅のある背部６ｃとを有するファイル本体６の背部６ｃに綴じ金具７を取り付けた構成である。図５では綴じ金具７を簡略化して示している。【００２２】  前記綴じ金具７は、図６に示すように、ファイル本体６の背部６ｃに固定された基板７ａと、この基板７ａにヒンジにより回動可能に取り付けられた側板７ｂと、この側板７ｂに固定されたパイプ（綴じ穴挿通軸）７ｃと、前記側板７ｂと反対側で基板７ａに垂直に固定された側板７ｄと、前記パイプ７ｃに差し込まれる心棒７ｅを固定した押さえ板７ｆと、基板７ａにヒンジにより回動可能に取り付けられた、前記押さえ板７ｆを係止するための係止板（ロック）７ｇとを持つ。なお、実際の綴じ金具７の機構はさらに複雑であるが、図示では簡略化している。【００２３】  このパイプファイル５に、書類を���容したクリアフォルダ１を綴じ込む場合、スリット付き綴じ穴２のスリット２ｂをパイプ７ｃ（綴じ穴挿通軸）に向けて押し込めば、パイプ７ｃが綴じ穴２ａに挿通された状態となる。すなわち、クリアフォルダ１を単に「押し込む」という１つの操作をするだけで綴じ込み操作が完了する。スリット２ｂは狭いので、特に力を加えない限り、パイプ７ｃが綴じ穴２ａから抜けることはなく、クリアフォルダ１はみだりに外れることはない。  また、クリアフォルダ１をパイプファイル５から取り外す場合、単に引っ張るか、あるいは軽くねじって引っ張ると、パイプ７ｃから外れる。このように、単に「引っ張る」か「軽くねじって引っ張る」という１つの操作をするだけで取り外し操作が完了する。  このように、従来の単なる綴じ穴だけのクリアフォルダと比較して、クリアフォルダの綴じ込み・取り外しの操作が極めて単純で容易であり、ファイリングに要する時間を大幅に短縮することができる。したがって、単体で取り扱う際に利便性を発揮するというクリアフォルダの長所を維持したまま、複数の書類を分散させずに管理できるという透明袋式フォルダの長所を兼ね備えたものとなる。  また、そのようにファイリング能率を大きく向上させる効果を、一般的なクリアフォルダに単にスリット付き綴じ穴を設けるだけという簡単な処理だけで、また、現在使用されているパイプファイルには何ら改良をほどこすことなく、実現することができるので、コスト高となる要素はほとんどない。また、現状の書類（資産）を継承したままファイリング能率向上（アクセスの高速化）を実現できる。
【実施例２】
【００２４】  上記参考例では、クリアフォルダ１を、押さえ板を７ｄを側板７ｄから外すことが可能なパイプファイル５、すなわち綴じ穴挿通軸（パイプ７ｃ）の一端を開放可能なパイプファイルに綴じ込む場合について説明したが、上記のクリアフォルダ１は、綴じ穴挿通軸に対して押し込む操作及び引っ張る操作でクリアフォルダ１の綴じ込み・取り外しが可能なので、綴じ穴挿通軸の一端を開放可能とする必要はない。  したがって、図７に示したファイル５のように、基板７ａ’の両側に固定された側板７ｂ’、７ｄ’間に単に綴じ穴挿通軸７ｃ’を固定的に架け渡した構造の綴じ金具７’に対して、クリアフォルダ１の綴じ込み、取り外しをすることができる。したがって、安価なファイルで済む。
【実施例３】
【００２５】  図２に本発明の一実施例のクリアフォルダ１１を示す。このクリアフォルダ１１は、参考例として示した図１のクリアフォルダ１における表シート１ａのスリット付き綴じ穴２が設けられた辺の側に、可撓性を有し前記スリット付き綴じ穴２と一致するスリット付き綴じ穴２’を有する合成樹脂製等の補強用シート１２を貼り合わせた構成である。補強用シート１２におけるスリット付き綴じ穴２’の綴じ穴を２ａ’、スリットを２ｂ’で示す。  クリアフォルダのパイプファイルに対する出し入れの頻度が多いと、スリット付き綴じ穴のスリットにはパイプ（綴じ穴挿通軸）が何度も通過することになり、クリアフォルダのシート厚みが薄い場合には、形状が崩れて脱落し易くなることも考えられるが、本発明のクリアフォルダ１２は、スリット付き綴じ穴２の部分が補強用シート１２で補強されているので、そのような問題を回避できる。  また、この実施例の補強用シート１２は、上辺側が幅狭、下辺側が幅広であり、綴じ部と反対側の側辺が傾斜した形状としている。そして、クリアフォルダの上部及び下部における表紙と補強用シートとの間の隙間をポケット１３、１４として利用し、名刺１５やカード１６等を入れるスペースとしている。上下のポケット１３、１４の中間部分もポケットとすることもできるが、この部分も綴じ部領域３と同様にクリアフォルダ１に貼り付けてもよい。
【実施例４】
【００２６】  図３は参考例としての書類ファイリング用シートを示す。この書類ファイリング用シート２１は、複数枚の紙葉を例えばステープラ２３で綴じ合わせた書類２４のパイプ綴じ部（パイプファイルのパイプが通る部分）の近傍に貼り付けられる書類ファイリング用シートであって、綴じ穴２２ａとこの綴じ穴２２ａからシート端縁に達するスリット２２ｂとからなる図示例では２つスリット付き綴じ穴２２を有する。  この参考例は、書類ファイリング用シート２１を書類２４の片面に貼り付けている。この参考例の書類ファイリング用シート２１は、２〜１０枚程度の紙葉を綴じた書類に適用するとよい。  書類ファイリング用シート２１の材質としては、ポリプロピレンその他を用いることができるが、弾性機能紙を用いることもできる。  書類ファイリング用シート２１の書類２４への貼り付けは、着脱可能とするために、粘着剤による貼り付けが好適である。但し、特に支障がなければ接着固定してもよい。【００２７】 参考例は書類２４に既にスリット付き綴じ穴２２’があいている場合であり、この場合は、書類ファイリング用シート２１のスリット付き綴じ穴２２を書類２３のスリット付き綴じ穴２２’に合わせて貼り付ける。  また、書類にスリット付き綴じ穴２２’があいていない場合は、まだスリット付き綴じ穴２２をあけていない書類ファイリング用シート材を書類２４の綴じ部に貼り付けた後、後述するパンチにより、両者合わせてスリット付き綴じ穴２２、２２’を形成することができる。  このように書類ファイリング用シート２１を貼り付けた書類２４は、図１のクリアフォルダ１と同様、その書類２４のパイプファイル等への綴じ込み・取り外しが極めて容易になり、ファイリングに要する時間を大幅に短縮することができる。
【実施例５】
【００２８】  図４はさらに他の参考例としての書類ファイリング用シートを示す。この参考例の書類ファイリング用シート２５は、例えば１１〜３０枚程度の紙葉をステープラ２３などで綴じ合わせた冊子状の書類２６の綴じ部（パイプファイルのパイプが通る部分）の近傍に貼り付けられる書類ファイリング用シートである。  この書類ファイリング用シート２５は、書類２６が厚くなっており剛性が要するので、書類２６の綴じ部側で表裏に跨って両面に貼り付けられる構成としており、綴じ部の両面にスリット付き綴じ穴２２を備えている。表裏のスリット付き綴じ穴２２は、前記と同様に綴じ穴２２ａとこの綴じ穴２２ａから端縁に達するスリット２２ｂとからなる。書類２６に設けたスリット付き綴じ穴を２２’で示し、その綴じ穴を２２ａ’、スリットを２２ｂ’で示す。
【実施例６】
【００２９】  図８に例えば図１のクリアフォルダ１を収容する樹脂製のファイルボックスを示す。  このファイルボックス３１は、底部３２と左右の側壁３３と背壁３４とを有し、クリアフォルダ１の２つスリット付き綴じ穴２に対応する綴じ穴挿通軸３５が左右の壁部３３間に渡されている。  このファイルボックス３１には、書類を収容したクリアフォルダ１を図９に示すように収容する。すなわち、クリアフォルダ１のスリット付き綴じ穴２を綴じ穴挿通軸３５に向けて押し込ん、ファイルボックス３１に綴じ込む。取り外す時は軽く捩って引っ張る。【００３０】  このファイルボックス３１によれば、書類を収容したある程度多くのクリアフォルダ１を着脱容易に収容することができるので、これを机上に置けば、業務に頻繁に使用する書類をまとめて着脱可能に管理できるので、業務能率の向上に有益である。  クリアフォルダを収容する場合に限らず、書類ファイリング用シート２１、２５を貼り付けた書類２４、２６を収容することも当然できる。【００３１】  図１０に示したファイルボックス４１は、同じく底部４２と左右の側壁４３と背壁４４とを有し、クリアフォルダ１の２つスリット付き綴じ穴２に対応する綴じ穴挿通軸４５が左右の壁部４３間に渡されているが、やや大形で本立て型であり、仕切り４６を設けている。  この仕切り４６を設けることで、ファイルボックス４１に安定して収容可能なクリアフォルダ等の数を増やすことができる。
【実施例７】
【００３２】 図１の参考例の説明では、スリット付き綴じ穴をクリアフォルダの背部側に設けたが、図１１に断面で示した同じく参考例のクリアフォルダ１’では、スリット付き綴じ穴２を開口部１ｅ側に設けている。この場合、クリアフォルダ１’の幅は、一般的なクリアフォルダの幅より広くして、Ａ４サイズの用紙を綴じ部領域３’を除く範囲に収容できる幅とする。 図１２に示したクリアフォルダ１１’は、本発明のクリアフォルダ（補強用シート付きのクリアフォルダ）の他の実施例であり、図１１に示した参考例のクリアフォルダ１’に補強用シート１２’を貼り付けた構成である。すなわち、図２に示した本発明の実施例のクリアフォルダ１１では背部側に設けたスリット付き綴じ穴２を開口部１ｅ側に設けた構成である。図１２は図２（ハ）に相当する図である。
【実施例８】
【００３３】  また、図３のように書類２４に書類ファイリング用シート２１を貼り付ける参考例の変形例として、図１３（イ）に示すように、書類２４’にはスリット付き綴じ穴を設けずに、スリット付き綴じ穴２２’をあけた書類ファイリング用シート２１’を書類２４’の綴じ部側に貼り付けることもできる。  この場合は、書類ファイリング用シート２１’のシート材として若干剛性の高い樹脂シートを用いるとよい。  また、図４のように書類２６に綴じ部側で表裏に跨る書類ファイリング用シート２５を貼り付ける参考例の変形例として、図１３（ロ）に示すように、書類２６’にはスリット付き綴じ穴を設けずに、スリット付き綴じ穴２２’をあけた書類ファイリング用シート２５’を書類２６’の綴じ部側に貼り付けることもできる。
【実施例９】
【００３４】  図１又は図２のクリアフォルダ１又は１１におけるスリット付き綴じ穴２を形成するためのパンチの一実施例を図１４〜図１６に示す。  このパンチ５１は、台部５２と、台部５２側の枠体５９に支持された水平な軸５３に一端側が長穴５９ａによる可動代を有して係合しかつねじりバネ５４により上方に付勢された状態で上下に回動可能に設けられた取っ手５５と、この取っ手５５を上下に回動させた時に取っ手５５の上下回動に連動して上下動する可動刃５６を備えている。  上述の構成は、可動刃５６に関連する部分を除けば、単なる円形の綴じ穴をあける従来の一般的なパンチと同じ構成であるが、このパンチ５１の可動刃５６は、綴じ穴をあける円柱刃５６ａとスリットを形成する直線刃５６ｂとを一体に備えている。  そして、台部５２の上板５２ａに、前記可動刃５６の円柱刃５６ａと直線刃５６ｂにそれぞれ対応する円形穴５７ａと細長い矩形穴５７ｂとからなる下刃穴５７が形成されている。  前記可動刃５６は、その円柱刃５６ａが、取っ手５５に固定した、前記軸５３と平行な支持軸５８に固定されて、取っ手５５の上下動に連動して上下動する。取っ手５５はねじりバネ５４で上方に付勢されている。  クリアフォルダ１の側縁部をパンチ５１に挿入し、取っ手５５を押し下げて軸５３の近傍を中心として下方に回動させると、支持軸５８を介して可動刃５６が下降し、その円柱刃５６ａと直線刃５６ｂとでクリアフォルダ１にスリット付き綴じ穴２が形成される。  なお、クリアフォルダ１に設けるスリットは、シートをせん断して形成したスリット、あるいは、打ち抜いたスリット（切り屑のでるスリット）のいずれでもよい。【００３５】  クリアフォルダに既に綴じ穴があけられている場合には、綴じ穴につながるスリットを形成するだけでよい。  そのスリットを形成するためのパンチとしては、パンチ本体自体は図１４、図１５に示した構造のものでよいが、図１７に示すように、可動刃５６’として、単なる細い直線状の直線刃５６ｂ’を用いる。この可動刃５６’（すなわち直線刃５６ｂ’）は、水平な支持軸５８に固定した縦軸部（図１６の円柱刃５６ａの上部に相当）５６ｃ’の下端に一体に設けるとよい。  この場合、台部５２の上板５２ａに、直線刃５６ｂ’に対応する細長い矩形穴５７ｂ’のみからなる下刃穴５７’を形成する。  この場合、スリットを綴じ穴に対して正確な位置に形成するために、クリアフォルダ１を正確に位置決めする必要があるので、何らかの位置決め手段を設ける。例えば、図１８（イ）、（ロ）に示すように、台部５２の上板５２ａの上面における下刃穴５７’に隣接する位置に、クリアフォルダ１の綴じ穴２ａを嵌合させる突起５２ｂを形成するとよい。  クリアフォルダ１の綴じ穴２ａを前記突起５２ｂに嵌合させることで、クリアフォルダ１の位置決め（スリットを設けるべき位置の位置決め）が正確に行われる。
【符号の説明】
【００３６】１、１’、１１、１１’  クリアフォルダ１ａ  表紙１ｂ  裏表紙１ｃ  背部１ｄ  下辺部１ｅ  開口部２、２’、２２、２２’  スリット付き綴じ穴２ａ、２ａ’、２２ａ、２２ａ’    綴じ穴２ｂ、２ｂ’、２２ｂ、２２ｂ’  スリット３、３’  綴じ部領域４  ５  パイプファイル６  ファイル本体７、７’  綴じ金具７ｃ  パイプ（綴じ穴挿通軸）７ｃ  綴じ穴挿通軸８  書類１２、１２’  補強用シート１３、１４  ポケット２１、２１’、２５、２５’  書類ファイリング用シート２４、２４’、２６、２６’  書類３１、４１  ファイルボックス３５、４５  綴じ穴挿通軸５１  パンチ５２  台部５２ａ  上板５２ｂ  突起５３  軸５４  バネ５５  取っ手５６  可動刃５６ａ  円柱刃５６ｂ  直線刃５７    下刃穴５７ａ  円形穴５７ｂ  細長い矩形穴５８  支持軸５９  枠体
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
透明かつ可撓性を有する合成樹脂製の長方形の表シートと裏シートとが背部及び下辺部において閉塞され少なくとも前記背部と反対側の辺が開口部とされているクリアフォルダにおいて、
前記背部側又は開口部側のいずれか一方に、綴じ穴とこの綴じ穴からそれぞれ背部側又は開口部側の端縁に達する直線状のスリットとからなる２つ又は４つのスリット付き綴じ穴を形成してなり、
前記表シートにおける前記スリット付き綴じ穴が設けられた綴じ部領域に、可撓性を有し前記スリット付き綴じ穴と一致するスリット付き綴じ穴を一方の側辺部に有する、表シートより幅の狭い合成樹脂製の補強用シートの前記一方の側辺部を接合し、かつ、  前記補強用シートの前記一方の側辺部を除く部分と表シートとの隙間に、名刺やカードなどを入れるスペースとしてのポケットが形成されるように、補強用シートと表シートとをシート上下辺と平行な線状接合部にて接合したことを特徴とするクリアフォルダ。
【請求項２】
前記補強用シートは、上辺側の幅が狭く下辺側の幅が広い、綴じ部と反対側の側辺が傾斜した形状をなしており、前記ポケットが上辺側と下辺側とにそれぞれ形成されていることを特徴とする請求項１記載のクリアフォルダ。
【手続補正３】
【補正対象書類名】明細書
【補正対象項目名】０００１
【補正方法】変更
【補正の内容】
【０００１】
この発明は、書類のパイプファイル等に対する綴じ込み・取り外しを容易にして、ファイリングに要する時間を短縮することを可能にするクリアフォルダに関する。
【手続補正４】
【補正対象書類名】明細書
【補正対象項目名】０００３
【補正方法】変更
【補正の内容】
【０００３】
この種のクリアフォルダ１００は、あまり枚数の多くない書類を保管する場合に、それらを散逸することなく取り扱い容易に保管することができ、かつ可搬性が高いので、単体で取り扱う際に利便性を発揮する。このため、単体で使用される場合が多いが、書類を収容したクリアフォルダの数が多くなると、書類が分散しがちになり管理が煩雑化する。
そこで、複数のクリアフォルダをファイリング用品に収容することが考えられる。その場合、図１９に示した一般的なクリアフォルダ１では、いわゆるリングファイルやパイプファイルに綴じ込んで保管することはできない。なお、リングファイルとは、書類等に設けた複数の綴じ穴に通される開閉可能なリングで書類を綴じレバーを押してリングを開くリング綴じ金具を持つ構成のものを指す（特許文献１参照）。また、パイプファイルの構成については後述する（段落番号[００２６]、[００２７]）。
【手続補正５】
【補正対象書類名】明細書
【補正対象項目名】０００７
【補正方法】変更
【補正の内容】
【０００７】
特許文献１あるいは特許文献２のクリアフォルダは、綴じ穴を設けているので、リングファイルに綴じ込むことができ、書類をそれぞれ収容した複数のクリアフォルダを纏めて保管する場合に対応できる。
しかし、綴じ穴が単なる円形の綴じ穴であるから、クリアフォルダを綴じ込み、取り外す操作は煩雑である。すなわち、（１）リング綴じ具のレバーを押してリングを開き、（２）クリアフォルダに設けた綴じ穴をリングに通し、（３）リングを閉ざすという３段階の操作が必要であり、煩雑である。
また、この種のクリアフォルダをパイプファイルで保管するとしても、パイプファイルに対して綴じ込み・取り外し際の煩雑さは同様である。すなわち、書類を綴じ込む場合は、（１）綴じ金具のロックを外して、綴じ穴挿通軸であるパイプに挿入されている心棒を一体に持つ押さえ板を外す、（２）書類をパイプ（綴じ穴挿通軸）に通す、（３）押さえ板の心棒をパイプに差し込み、押さえ板をロックする、という３段階の操作が必要となり、綴じ込み・取り外しが煩雑である。
このため、単体で取り扱う際に利便性を発揮するというクリアフォルダの長所が失われ、上辺のみ開口した透明樹脂フィルム製の書類収容袋の複数枚をその側辺部で綴じた書類ホルダー（仮に透明袋式フォルダと呼ぶ）の一種として使われてしまっていることが現状である。この透明袋式フォルダは複数の書類を分散させずに管理できる点で優れているが、単体での取り扱い性に欠ける。
【手続補正６】
【補正対象書類名】明細書
【補正対象項目名】０００９
【補正方法】変更
【補正の内容】
【０００９】
本発明は上記背景のもとになされたもので、書類のパイプファイル等に対する綴じ込み・取り外しを容易にして、ファイリングに要する時間を短縮することを可能にするクリアフォルダを提供することを目的とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
【図１】本発明の参考例としてのクリアフォルダを示すもので、（イ）は正面図、（ロ）は（イ）の要部拡大図、（ハ）は（ロ）のＡ−Ａ断面図である。
【図２】本発明の一実施例のクリアフォルダを示すもので、（イ）は正面図、（ロ）は（イ）の要部拡大図、（ハ）は（ロ）のＢ−Ｂ断面図である。
【図３】本発明の他の参考例としての書類ファイリング用シートを説明する図であり、（イ）は書類ファイリング用シートを貼り付けた書類の正面図、（ロ）は（イ）の要部拡大図、（ハ）は（ロ）のＣ−Ｃ断面図である。
【図４】本発明のさらに他の参考例としての書類ファイリング用シートを説明する図であり、（イ）は書類ファイリング用シートを貼り付けた書類の正面図、（ロ）は（イ）の要部拡大図、（ハ）は（ロ）のＤ−Ｄ断面図である。
【図５】本発明のクリアフォルダを綴じ込むファイルの一例としてのパイプファイルの斜視図である。
【図６】図６のパイプファイルに、書類を収容した図１の参考例のクリアフォルダを複数綴じ込んだ状態を示すもので、（イ）は要部の水平断面図、（ロ）は（イ）のＥ−Ｅ断面図である。
【図７】パイプファイルの開閉可能な綴じ金具に代えて、固定的な綴じ穴挿通軸を持つ綴じ金具を設けた場合を示すもので、図６（イ）に対応する図である。
【図８】本発明のクリアフォルダを綴じ込むことができるファイルボックスの斜視図である。
【図９】図８のファイルボックスに複数のクリアフォルダ（図示のクリアフォルダ自体は図１の参考例のもの）を綴じ込んだ状態を示すもので、（イ）は縦断面図、（ロ）は水平断面図である。
【図１０】参考例としてのファイルボックスの他の例を示す斜視図である。
【図１１】図１のクリアフォルダでは背部側に設けたスリット付き綴じ穴を反対の開口部側に設けたクリアフォルダ(図示のクリアフォルダ自体は参考例であるが、ポケット形成を兼ねる補強用シート１２を備えた構成とした場合には本発明の実施例のクリアフォルダ)を示すもので、（イ）は正面図、（ロ）は（イ）の要部拡大図、（ハ）は（ロ）のＦ−Ｆ断面図である。
【図１２】図２のクリアフォルダでは背部側に設けたスリット付き綴じ穴を開口部側に設けたクリアフォルダの実施例を示すもので、要部断面図（図２（ハ）に相当する図）である。
【図１３】図３や図４の参考例では書類自体にも設けたスリット付き綴じ穴を、書類ファイリング用シートのみにスリット付き綴じ穴を設けた参考例を示すもので、（イ）は片面用の書類ファイリング用シートを貼り付けた書類の部分省略の水平断面図（図３の（ハ）に相当する図）、（ロ）は両面用の書類ファイリング用シートを貼り付けた書類の部分省略の水平断面図（図４の（ハ）に相当する図）である。
【図１４】図２のクリアフォルダにおいてスリット付き綴じ穴がまだ形成されていない場合に、そのスリット付き綴じ穴をあけるパンチを参考例として示すもので、パンチの平面図である。
【図１５】図１４のパンチのＧ−Ｇ断面図である。
【図１６】図１４、図１５のパンチにおける刃を参考例として示す斜視図である。
【図１７】図２のクリアフォルダにおけるスリット付き綴じ穴の綴じ穴のみが既にあけられている場合に、その綴じ穴につながる直線状のスリットを形成してスリット付き綴じ穴とするパンチにおける可動刃を参考例として示す斜視図である。
【図１８】図１７の参考例の場合に、クリアフォルダの位置決め手段を設けた参考例を示す図である。
【図１９】従来の一般的なクリアフォルダを示す図である。
【手続補正１１】
【補正対象書類名】明細書
【補正対象項目名】００１８
【補正方法】変更
【補正の内容】
【００１８】
以下、本発明を実施したクリアフォルダについて、図面を参照して説明する。
【手続補正１２】
【補正対象書類名】明細書
【補正対象項目名】００２９
【補正方法】変更
【補正の内容】
【００２９】
図８に例えば図１のクリアフォルダ１を収容する樹脂製のファイルボックスを示す。
このファイルボックス３１は、底部３２と左右の側壁３３と背壁３４とを有し、クリアフォルダ１の２つスリット付き綴じ穴２に対応する綴じ穴挿通軸３５が左右の壁部３３間に渡されている。
このファイルボックス３１には、書類を収容したクリアフォルダ１を図９に示すように収容する。すなわち、クリアフォルダ１のスリット付き綴じ穴２を綴じ穴挿通軸３５に向けて押し込んで、ファイルボックス３１に綴じ込む。取り外す時は軽く捩って引っ張る。
【手続補正１３】
【補正対象書類名】明細書
【補正対象項目名】００３４
【補正方法】変更
【補正の内容】
【００３４】
図１又は図２のクリアフォルダ１又は１１におけるスリット付き綴じ穴２を形成するためのパンチを参考例として図１４〜図１６に示す。
このパンチ５１は、台部５２と、台部５２側の枠体５９に支持された水平な軸５３に一端側が長穴５９ａによる可動代を有して係合しかつねじりバネ５４により上方に付勢された状態で上下に回動可能に設けられた取っ手５５と、この取っ手５５を上下に回動させた時に取っ手５５の上下回動に連動して上下動する可動刃５６を備えている。
上述の構成は、可動刃５６に関連する部分を除けば、単なる円形の綴じ穴をあける従来の一般的なパンチと同じ構成であるが、このパンチ５１の可動刃５６は、綴じ穴をあける円柱刃５６ａとスリットを形成する直線刃５６ｂとを一体に備えている。
そして、台部５２の上板５２ａに、前記可動刃５６の円柱刃５６ａと直線刃５６ｂにそれぞれ対応する円形穴５７ａと細長い矩形穴５７ｂとからなる下刃穴５７が形成されている。
前記可動刃５６は、その円柱刃５６ａが、取っ手５５に固定した、前記軸５３と平行な支持軸５８に固定されて、取っ手５５の上下動に連動して上下動する。取っ手５５はねじりバネ５４で上方に付勢されている。
クリアフォルダ１の側縁部をパンチ５１に挿入し、取っ手５５を押し下げて軸５３の近傍を中心として下方に回動させると、支持軸５８を介して可動刃５６が下降し、その円柱刃５６ａと直線刃５６ｂとでクリアフォルダ１にスリット付き綴じ穴２が形成される。
なお、クリアフォルダ１に設けるスリットは、シートをせん断して形成したスリット、あるいは、打ち抜いたスリット（切り屑のでるスリット）のいずれでもよい。